【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
好ましくはタンパク質又は核酸に対する生物学的固定特性を有する高分子基板層を備え、生物材料を固定し、その生物材料からの光学的に誘導された発光の解析を可能とする装置であって、前記基板層が硬質支持体１２上に設けられ、前記生物材料を受容するように晒された外側の付着物受容領域を有し、前記基板層２０、２０′、２０″が超薄であり、約５ミクロン未満の厚さｔｕｔを有するニトロセルロース又はポリスチレンを含み、前記外側の付着物受容領域は、前記生物材料の増大された固定のために表面処理された状態にある装置。
【請求項２】
形成された前記基板層は、実質的に透明な固形薄膜である、請求項１に記載の装置。
【請求項３】
好ましくはタンパク質又は核酸に対する生物学的固定特性を有する高分子基板層を備え、生物材料を固定し、その生物材料からの光学的に活性化された発光の解析を可能とする装置であって、前記基板層が硬質支持体１２上に設けられ、前記生物材料を受容するように晒された外側の付着受容領域を有し、前記基板層２０、２０′、２０″が超薄であり、約５ミクロン未満の厚さｔｕｔを有するニトロセルロース又はポリスチレンを含み、形成された前記基板層が、実質的に透明固形膜である装置。
【請求項４】
前記基板層は、検定の実施の用に供する生物材料の付着物のアレイを有する、請求項１ないし３のうち何れか一項に記載の装置。
【請求項５】
前記基板層は、高分子及び揮発性溶媒のコーティング溶液の乾燥残留物の形態の膜である、請求項１ないし４のうち何れか一項に記載の装置。
【請求項６】
前記硬質支持体１２は、まっすぐな支持体表面、たとえば、顕微鏡スライド１０ａのもののような平面表面又は円筒状の表面のような平面を画定し、前記基板層２０、２０′、２０″は、直接的又は間接的に、硬質支持体に対して、好ましくは実質的に図１４に従って、引き抜くことにより膜が適用される、請求項１ないし５のうち何れか一項に記載の装置。
【請求項７】
前記基板層２０、２０′、２０″の外側の付着物受容領域は、その上に生物材料の付着物の増大された接着のために、コロナ処理機１２２又はガンマ線に晒すことにより提供されるエネルギー表面改質処理により表面処理された状態にある、請求項１ないし６のうち何れか一項に記載の装置。
【請求項８】
少なくとも一つの介在層１４、１４′、１１２が、前記硬質支持体１２と前記超薄高分子基板層２０、２０′、２０″との間にあり、前記介在層がその反対方向の各々の面上で前記装置の物質と接着して結合し、前記介在層１４、１４′１１２の反対側面上に直接隣接する物質が、前記介在層に対して互いに接着性がない、請求項１ないし7のうち何れか一項に記載の装置。
【請求項９】
前記介在層１４、１４′、１１２は、シラン、エポキシシラン、ポリリシン、ＰＥＩ、ＧＡＰ、接着性金属酸化物、コロイドシリカ及び可溶性ケイ酸塩からなる群より選ばれる物質である、請求項８に記載の装置。
【請求項１０】
前記介在層１４、１４′、１１２は、酸化タンタルである、請求項９に記載の装置。
【請求項１１】
前記硬質支持体１２は、入射誘導放射に応答した特徴的な蛍光又は発光を有し、前記介在層１４、１４′、１１２は、前記基板層２０、２０′、２０″から前記支持体への入射誘導放射の透過を少なくとも実質的に制限する、又は前記支持体から前記基板層２０、２０′、２０″への蛍光又は発光放射の透過を制限する、あるいは双方を制限するのに効果的であり、好ましくは前記介在層が、タンタル又はアルミニウムの酸化物である、請求項８に記載の装置。
【請求項１２】
前記基板層は、約１ミクロン未満の厚さを有する、請求項１ないし１１のうち何れか一項に記載の装置。
【請求項１３】
前記基板層は、約０．１ミクロンと０．５ミクロンとの間のｔｕｔs厚さの実質的に固形透明膜である、請求項１２に記載の装置。
【請求項１４】
バイオカセット、ＣＤディスク又はマルチウェルプレートの底の形状である、請求項１ないし１３のうち何れか一項に記載の装置。
【請求項１５】
前記装置は、機能的には少なくとも部分的に透明であり、前記基板層２０、２０′、２０″上の付着物と前記硬質支持体１２貫通の間に、有効な光を少なくとも一方向に通すようにした装置であって、たとえば、前記装置は、前記硬質支持体１２を通して、前記基板層２０、２０′、２０″上の生物材料の付着物への照明を可能にするように配置される、又は前記装置は、前記硬質支持体１２を通して、前記基板層２０、２０′、２０″上の生物材料の付着物の顕微鏡検査を可能にするように配置され、あるいは前記装置は、前記基板層の外側及び硬質支持体を通しての双方からの前記基板層上の生物材料の付着物の顕微鏡検査を可能にするように配置される、請求項１ないし１０のうち何れか一項に記載の装置。
【請求項１６】
前記基板層２０、２０′、２０″は、生体材料４２０の付着物を受容し、かつ、エラストマーガスケット４３０により、付着物に隣接した物体によって一時的に係合するように構成され、前記基板層は分断されて、除去された前記物体に対する前記基板の接着がアレイを破壊しないようにし、好ましくは、そこに適用された基板層２０″が、分断されている前記基板層の下の介在性接着促進層１４′が、たとえば、金属酸化物の接着促進介在層１４′のパターンにおけるギャップによって形成されたモートＭ、図２４Ａ−Ｃによって分断されている、請求項１ないし１５のうち何れか一項に装置。
【請求項１７】
前記基板層２０、２０′、２０″の外表面は、略平坦であり、生体材料のスポットアレイの付着物を受容するように配置される、図１１または１３参照、又は、すでに受容した生体材料のスポットアレイは、未反応状態又は検定の実施の結果として反応した状態である、請求項１ないし１６のうち何れか一項に記載の装置。
【請求項１８】
基板層のための高分子を含有している流体コーティング溶液を、硬質支持体に対して、直接的又は間接的に、基板層を形成する条件下にて適用することを含む、請求項１ないし１７のうち何れか一項に記載の装置を形成するための方法。
【請求項１９】
コーティング組成物の浴から前記硬質支持体を引くことを含む、請求項１８に記載の方法。
【請求項２０】
前記基板層の適用の前に、接着促進層を、直接的又は間接的に、前記硬質支持体に対して、好ましくは金属を、好ましくはタンタル又はアルミニウムを適用し、タンタル又はアルミニムを酸化させて、適用することを含む、請求項１８又は１９に記載の方法。
【請求項２１】
前記基板層として、実質的に透明固形のニトロセルロース又はポリスチレンフィルム膜を製造するための形成条件を維持することを含む、請求項１８ないし２０のうち何れか一項に記載の方法。
【請求項２２】
前記基板層上への生物材料の接着を増大させるため、前記基板層の表面を改質するように、前記基板層の膜を後処理することを含む、請求項１８ないし２１のうち何れか一項に記載の方法。
【請求項２３】
前記膜を、コロナ放電又はガンマ線に晒すようなエネルギー表面改質条件に置くことを含む、請求項２２に記載の方法。
【請求項２４】
前記基板層の適用に先立ち、不透明な層を、直接的又は間接的に、前記硬質支持体上に適用すること、たとえば、充分な厚さの金属酸化物層を、少なくとも部分的に不透明となるように適用し、放射線の透過に対するバリヤとして役立つようにすることを含む、請求項１８ないし２３のうち何れか一項に記載の方法。
【請求項２５】
検定を実行する方法であり、請求項１ないし２４に記載の装置を提供し、基板に生物材料のスポットアレイを適用し、少なくともいくつかのスポットを蛍光又は発光標識を用いて標識する検定を行い、前記アレイを洗浄した後、光学的検出によりアレイを読取ることを含み、好ましくは、前記検定は、タンパク質−タンパク質相互作用に基づく、又は核酸若しくは他の遺伝物質を含む、あるいはウイルス、ペプチド、抗体、受容体、ｃＤＮＡクローン、ＤＮＡプローブ、合成オリゴヌクレオチドを含めたオリゴヌクレオチド、又はポリメラーゼ連鎖反応（ＰＣＲ）産物を含むアレイを含む、あるいは前記アレイは、植物、動物、ヒト、真菌、細菌細胞、悪性細胞又は生検組織由来の細胞を含有することを含む、方法。
【請求項２６】
前記装置は、請求項２４に従って形成され、前記読取りは、ＣＣＤセンサーにより実行される、請求項２５に記載の方法。